【事件の表示】
　平成　８年特許願第３０８５１５号「ＡＦ一眼レフカメラのプレビュー装置制御方法」拒絶査定不服審判事件〔平成１０年　６月　２日出願公開、特開平１０−１４８８６６〕について、次のとおり審決する。
【結　論】
　本件審判の請求は、成り立たない。
【理　由】
１．手続の経緯・本願発明
　本願は、平成８年１１月１９日の出願であって、平成１７年１１月２５日付けで拒絶査定がなされ、これに対し、平成１８年１月５日に拒絶査定に対する審判請求がなされたものである。そして、その請求項１に係る発明（以下、「本願発明」という。）は、平成１７年８月１７日付けの手続補正書により補正された明細書及び図面の記載からみて、その特許請求の範囲の請求項１に記載された次のとおりのものと認める。
　「それぞれ外部から操作可能な、シャッタレリーズ動作の前にＡＦ動作を行わせるレリーズ操作部材と、プレビュー装置を作動させるプレビュースイッチを備えたＡＦ一眼レフカメラにおいて、
　上記レリーズ操作部材を操作せずにプレビュースイッチが単独でオンされたとき、絞の開放位置から設定絞り値への絞り込みが開始される前にＡＦ動作を実行することを特徴とするＡＦ一眼レフカメラのプレビュー装置制御方法。」
　
２．引用例
　これに対して原査定の拒絶の理由に引用された特開昭６２−６５０２４号公報（以下、「引用例１」という。）には、
　「本発明は自動焦点調節式カメラにおけるプレビュー装置に関する。一眼レフレックスカメラで絞りを予定絞り値まで絞り込んだとき、被写界深度が具体的にどの程度であるかを直接的に知るため、絞りを予定絞りまで絞り込んでファインダー内の像を見得るようにするのがプレビュー装置で、本発明はプレビュー操作が行われたときでも自動焦点調節を行い得るようにしようとするものである。」（１頁左欄１３行〜最下行）、
　
　「二　問題点解決のための手段
　カメラにおけるプレビュー装置は、カメラの適当な操作部位を介して、カメラの制御装置にプレビュー動作の指示を入力する構成になっている。本発明は、カメラの制御装置がプレビュー動作の指示を検知した場合、先ず撮影レンズの絞り開放の状態で自動焦点調節動作を行い、合焦検出がなされた後、絞りを予定絞りまで絞り込むようにした。
ホ　作用
　プレビュー動作に先立って自動焦点調節を行うので、正しい焦点調節が行われ、焦点調節がなされた状態でプレビューを行うことができ、自動焦点調節機能を失うことなくプレビューを行うことができるようになった。
へ　実施例
　第１図は本発明の一実施例を示す。１はカメラ全体を制御するマイクロコンピュータ（以下μＣと記す）、２は交換レンズで、開放絞り値、最小絞り口径の絞り値等の交換レンズ情報をメモリさせたＲＯＭを内蔵しており、３は被写体輝度を測光する測光回路、４は上記交換レンズの絞りを制御する絞り制御部で、プレビュー動作時及び露出動作時に絞り制御マグネットＭｇを制御して絞りを所定絞り値に絞り込む。５はフィルム感度設定部である。６は自動焦点検出装置（以下ＡＦ装置と記す〕で、μＣから送られて来る制御信号によってレンズの焦点状態を検出すると共に、その検出結果に基いてモータＭを駆動し、レンズを合焦状態へ動かす。７はμＣからのデータによって絞り値、シャッタースピード等の撮影情報を表示する表示部である。８はシャッター制御部、９はレリーズ制御部である。Ｓ１は不図示のレリーズボタンの操作に連動し、同ボタン押進の初期段階でＯＮする測光スイッチで、このスイッチのＯＮによる立下り信号で後述する動作フローが開始される。Ｓ２はレリーズスイツチでレリーズボタンの押切りによってＯＮし、このスイッチのＯＮにより露出動作が行われる。Ｓ３は露出完了時にＯＮする露出完了スイッチで、Ｓ４がプレビューを行うときのプレビュー操作スイッチである。Ｓ５はプレビュー動作と連動して、プレビュー制御が行われ絞りが所定値まで絞り込まれたとき、即ちプレビュー制御完了によってＯＮするプレビュー制御スイッチである。
　この実施例で使用されているプレビュー機構は、上記プレビュー操作スイッチＳ４の手動操作により、マグネットＭｇが制御されて所定の絞り値に設定され、このプレビューの解除は露出完了後、不図示のシャッター機構に連動して行われるか、或はプレビュー解除用の不図示の手動レバーの操作によって行われ、絞り込まれていた絞りは開放絞りに復帰せしめられる。このプレビュー解除に連動してプレビュー制御スイッチＳ５はＯＦＦとなる。」（２頁左上欄８行〜右下欄２行）、
　
　「次に他の実施例を第６図に示す。この変形例は、ＡＦ検出ができないレンズが装着されたとき、例えば、レンズの開放絞り値ＡＶＯが５．５（Ｆ６．５）を超えるもの或いは反射望遠タイプのレンズに対しては、即、プレビュー制御を行なうようにしたものである。又、前述実施例では合焦判定を行なって合焦の後プレビュー制御を行なっているものにおいて、低コントラスト或いは低輝度の理由のために合焦完了信号が送られてこないときには、プレビュー制御が行なえなかったものを、この変形例では、この点を改良し、プレビュー制御を行なえるようにした。さらに、プレビュー操作スイッチＳ４が操作されたときは、測光スイッチＳ１が操作されたときと同様に測光及びＡＦを行なえるようにした。
　まず第６図に示したフローチャートは、第３図のフローチャートとほぼ同じなので、異なる点だけを説明すると、第１にプレビュー操作スイッチＳ４が操作されたときにμＣは割込を禁止して、測光をスタートさせるようにした（♯２）。尚、第１図の回路図においてスイッチＳ４のμＣへの入力信号を１本ふやし、μＣではこのスイッチＳ４の立下り信号を入力して、このフローに割込むようにする（第８図参照）。第２に、測光をスタートさせた後タイマーフラグＴＩＭＦをリセットし、レンズ情報を入力してから、ＡＦ制御を行なうようにした（♯６，♯１０，♯１５）。第３に、プレビュー操作が行なわれなかったとき（♯４０）に、上記タイマーフラグＴＩＭＦをリセットした。第２、第３についての説明は、レンズ情報入力、ＡＦ制御プレビュー制御の詳しいフローを示した第７図の説明のときに行なう。
　上記第１乃至第３以外は、第３図のフローと同じである。次に、第７図に示したフローチャートを説明すると、μＣは交換レンズから開放絞り値ＡＶＯ、最小絞りでの絞り値ＡＶｍａｘ、ＡＦ情報ＡＦＩを入力する（♯５００）。このＡＦ情報ＡＦＩは、装着されている交換レンズがＡＦ検出可能なレンズか否かを示す情報である。これらを所定のレジスタに格納する（♯５０５）。次のＡＦ制御♯１５において、上記ＡＦ情報を判定して、ＡＦ検出が可能か否かを判定し、ＡＦ検出可能なときには、フラグＡＦＯＦをセットし、プレビューフラグをＰＶＦ判定して、プレビュー制御されているかを判定する（♯５１０，５１５，５２５）。プレビュー制御されているとき、或いは、ＡＦ検出ができないときは、ＡＦを停止する（♯５２０，５２５，５４５）。一方プレビュー制御が行なわれていないとき、プレビュー操作スイッチＳ４或いは測光スイッチＳ１がＯＮされているときに、ＡＦをスタートさせ、両スイッチが共にＯＦＦのときはＡＦを停止する。
　次にプレビュー制御のフローチャートを説明する。プレビュー操作スイッチＳ４が操作されているとき、μＣは、プレビューフラグＰＶＦを判定して、プレビュー制御が行なわれているときには、すぐにレリーズ判定♯５０に移行する（♯５４５）」（５頁右上欄１９行〜６頁左上欄１５行）
との記載が認められ、これらの記載及び第６図、第７図の１、第７図の２によれば、レリーズボタンを操作せずに、単独で、プレビュー操作スイッチＳ４が操作されたときには、マイクロコンピュータは割込を禁止して、測光とＡＦ制御が自動的に連続して行われる制御方法が記載されていると認められるから、引用例１には、
　「レリーズボタンの押進の初期段階で測光スイッチＳ１をＯＮするレリーズボタンと、プレビューを行うときのプレビュー操作スイッチＳ４を備えた自動焦点調節式一眼レフレックスカメラにおいて、
　レリーズボタンを操作せずに、単独で、プレビュー操作スイッチＳ４が操作されたときは、測光をスタートさせ、その後、ＡＦ検出可能なときには、予定絞り値まで絞り込みが行われる前の絞り開放の状態でＡＦ制御を行うことを特徴とする自動焦点調節式一眼レフレックスカメラのプレビュー制御方法。」
との発明（以下、「引用例１発明」という。）が開示されていると認めることができる。
　
３．対比・判断
　本願発明と引用例１発明を対比すると、引用例１発明の「レリーズボタン」は、本願発明の「レリーズ操作部材」に相当し、以下同様に、「プレビューを行うときのプレビュー操作スイッチＳ４」は「プレビュー装置を作動させるプレビュースイッチ」に、「自動焦点調節式一眼レフレックスカメラ」は「ＡＦ一眼レフカメラ」に、「予定絞り値まで絞り込みが行われる前の絞り開放の状態で」は「絞の開放位置から設定絞り値への絞り込みが開始される前に」に、「ＡＦ制御」は「ＡＦ動作」に、それぞれ相当し、さらに、引用例１発明において、「レリーズボタン」、「プレビュー操作スイッチＳ４」が共に「それぞれ外部から操作可能」であることは、自明であるから、両者は、
　「それぞれ外部から操作可能な、レリーズ操作部材と、プレビュー装置を作動させるプレビュースイッチを備えたＡＦ一眼レフカメラにおいて、
　上記レリーズ操作部材を操作せずにプレビュースイッチが単独でオンされたとき、絞の開放位置から設定絞り値への絞り込みが開始される前にＡＦ動作を実行することを特徴とするＡＦ一眼レフカメラのプレビュー装置制御方法。」である点で一致し、
［相違点１］
　レリーズ操作部材が、本願発明は、「シャッタレリーズ動作の前にＡＦ動作を行わせるレリーズ操作部材」であるのに対して、引用例１発明に記載された発明は、「レリーズボタンの押進の初期段階で測光スイッチＳ１をＯＮするレリーズボタン」である点で相違する。
　そこで、上記相違点について検討する。
　
［相違点１］について、
　レリーズ操作部材に関して、引用例１発明の「レリーズボタンの押進の初期段階」と、本願発明の、「シャッタレリーズ動作の前」とは、同様の時期を意味することは明らかであるところ、引用例１発明では、前記レリーズボタンの操作により、測光とＡＦ制御という２つの動作を実行させていると認められる。
　ところで、本願の図１３に示されるプレビュー時の処理過程を示すフローチャートについて、発明の詳細な説明の段落【００４５】では、プログラムＡＥモードの実施例として「プレビュースイッチ９２がオンされるとこれに連動して測光スイッチ９７がオンになり、測光、演算が行われて絞り値が設定され（Ｓ３４）、ＣＰＵ９０がモータ駆動回路９５を介してＡＦモータ８４を駆動させてＡＦ動作を実行する（Ｓ３５）」という記載があり、これは、引用例１発明と同様の手順によりＡＦ動作が実行されるものを示している。さらに、同じく段落【００５５】には、「なお、上記実施形態ではプログラムＡＥモードを選択したが、絞り優先ＡＥモード、シャッター優先モード、あるいはマニュアル露出モードにおいても本発明は有効である」と記載されている。そして、前記実施例のプログラムＡＥモードに換えてマニュアル露出モードが選択された場合のレリーズ操作部材は、本願発明のように、「シャッタレリーズ動作の前にＡＦ動作を行わせるレリーズ操作部材」として機能することが伺える。
　他方、引用例１発明においても、プレビューを、マニュアル露出モードにおいて行うように構成することは、当業者が必要に応じて適宜選択しえたものと認められる。そして、引用例１発明において、マニュアル露出モードでプレビューを行うために、レリーズボタンをシャッタレリーズ動作の前にＡＦ制御を行わせるレリーズボタンとし、この相違点に係る本願発明のように構成することは、当業者が容易に想到しえたものと認められる。　
　また、本願発明の奏する効果も、引用例１に記載の各技術事項が奏する効果以上のものが期待できるとも認められない。
　
４．むすび
　したがって、本願発明は、引用例１に記載された発明に基づいて当業者が容易に発明をすることができたものであるので特許法第２９条第２項の規定により特許を受けることができない。
　よって、結論のとおり審決する。